(57)【特許請求の範囲】
【請求項１】
着座者が着座する椅子の背もたれ部と前記着座者の背面との間に配置され、給気されることで前記背面の形状に沿って変形すると共に、前記背面と対面する背面対面部が前記背面と接触し、排気されることで前記背面の形状を維持し、
前記背もたれ部が、傾倒後、停止して排気される、
ことを特徴とする姿勢保持具。
【請求項２】
着座者が着座する椅子の背もたれ部と前記着座者の背面との間に配置され、給気されることで前記背面の形状に沿って変形すると共に、前記背面と対面する背面対面部が前記背面と接触し、排気されることで前記背面の形状を維持し、
前記背もたれ部が、傾倒または起立しながら給気され、傾倒後、停止して排気される、
ことを特徴とする姿勢保持具。
【発明の詳細な説明】
【技術分野】
【０００１】
本発明は、例えば医療施設や理美容施設などで用いられる椅子に備えられる姿勢保持具に関するものである。
【背景技術】
【０００２】
従来、医療施設や理美容施設などにおいて施術される際に着座者が着座する椅子は、背もたれ部に取り付けられて着座者の背中との間に配置されるクッションが備えられたものがある。このようなクッションとして、例えば、下記特許文献１に記載された歯科用治療椅子に備えられたサポートバックがある。このサポートバックは、複数のエアバックと、各エアバックへの給排気のための幹線エアーチューブとが備えられ、この幹線エアーチューブを通じてエアバックが給排気されて膨張し、または縮小する。各エアバックが個々に制御されるため、サポートバックは、着座者の体形に合わせて様々な凹凸に調整される。
【先行技術文献】
【特許文献】
【０００３】
【特許文献１】特開２００５−２７０２１１号公報
【発明の概要】
【発明が解決しようとする課題】
【０００４】
しかし、特許文献１に記載されたサポートバックは、上記したとおり、複数のエアバックが備えられているため、各エアバック同士の間に隙間が形成され、この隙間が着座者の背中に適合しない場合がある。また、複数のエアバックは幹線エアーチューブで連結され、内部にエアーのみが充満しているため、エアバック内部の圧力が全体に均一である。人体荷重が加わった場合、偏って荷重が多く加わる部分が存在すると、他部分の圧力が増加し、他部分のエアバックが隆起することとなり、着座者の体形に沿った形状とはならない。例えば、高齢で円背した着座者は、円背の度合いが左右対称であるとは限らず、また、着座者の体格は、年齢、性別に応じて異なるため、すべての着座者の背中に合わせて調整し、適合させることは困難である。
【０００５】
本発明は、上記の実情に鑑みて提案されたものである。すなわち、様々な着座者の背中に合わせて形状を変化させると共に、施術の工程に合わせて、適宜その変化後の形状を維持し、着座者の姿勢を保持することができる姿勢保持具の提供を目的とする。
【課題を解決するための手段】
【０００６】
上記目的を達成するために、本発明に係る姿勢保持具は、着座者が着座する椅子の背もたれ部と前記着座者の背面との間に配置され、給気されることで前記背面の形状に沿って変形すると共に、前記背面と対面する背面対面部が前記背面と接触し、排気されることで前記背面の形状を維持する、ことを特徴とする。
【０００７】
本発明に係る姿勢保持具は、前記背もたれ部が、傾倒後、停止して排気される、ことを特徴とする。
【０００８】
本発明に係る姿勢保持具は、前記背もたれ部が、傾倒または起立しながら給気され、傾倒後、停止して排気される、ことを特徴とする。
【０００９】
本発明に係る姿勢保持具は、椅子に対する着脱が可能である、ことを特徴とする。
【００１０】
本発明に係る姿勢保持具は、給排気されるエアーの供給が、前記着座者の診療に用いられる器具を制御する歯科治療ユニットによって行われる、ことを特徴とする。
【００１１】
本発明に係る姿勢保持具は、給気されるエアーの流路である給気路と、排気されるエアーの流路である排気路と、前記排気路に備えられてエアーを排気する真空発生器と、前記真空発生器にエアーを供給する供給路と、前記給気路を開閉する給気コントローラと、前記供給路を開閉する供給コントローラと、から構成された給排気制御装置が備えられた、ことを特徴とする。
【発明の効果】
【００１２】
本発明に係る姿勢保持具は上記した構成である。すなわち、姿勢保持具は、給気されることで、自在に形状を変形することが可能な状態となり、背面対面部が着座者の背面の形状に沿って隙間なく接触して背面に適合した形状に変形する。この状態で排気されると、姿勢保持具は背面に適合した形状を維持する。したがって、様々な着座者の背面に合わせて形状を変化させると共にその形状を維持し、着座者の姿勢を保持することができる。
【００１３】
ここで、背もたれ部の傾倒と起立が繰り返される際、着座者の姿勢はその都度変化するため、初めに着座した際の着座者の背面と背面対面部との接触位置および接触する部分の形状が、背もたれ部が傾倒して横たわった際の着座者の背面と背面対面部との接触位置および接触する部分の形状と、通常異なる。再び背もたれ部が起立した際の座位の着座者の背面と背面対面部との接触位置および接触する部分の形状は、さらに変化している。すなわち、着座した着座者の背面の形状に合わせて姿勢保持具の形状を変化させても、その形状は、横たわった着座者の背面に適合しない。
【００１４】
そこで、本発明に係る姿勢保持具は、背もたれ部が、傾倒または起立しながら給気され、傾倒後、停止して排気される。この構成により、姿勢保持具は、背もたれ部が傾倒し、停止する以外の場合は、形状が自在に変化可能な柔軟な状態である。すなわち、姿勢保持具は、背もたれ部が傾倒しながら給気され、着座者の背面の形状に沿って、背面対面部が背面に隙間なく接触して背面に適合した形状に変形し、背もたれ部が倒れた状態で停止すると排気され、形状が固定し、横たわった着座者の背面に適合した形状を維持する。また、姿勢保持具は、背もたれ部が起立しながら給気され、背面に適合した形状に変形する。このことにより、姿勢保持具は、着座者の姿勢が変化する毎に、その姿勢に合わせて変化するため、様々な姿勢に合わせて形状を変化させると共にその形状を維持し、着座者の姿勢を保持することができる。
【００１５】
本発明に係る姿勢保持具は、椅子に対する着脱が可能である。したがって、既存の設備に対応させることができ、また、姿勢保持具が必要な着座者に対してのみ椅子に装着し、姿勢保持具が不要な着座者に対しては椅子から取り外すことで、着座者に応じて対応することができる。
【００１６】
本発明に係る姿勢保持具は、給排気されるエアーの供給が、着座者の診療に用いられる器具を制御する歯科治療ユニットによって行われる。すなわち、既存の設備である歯科治療ユニットによってエアーの供給が行われるため、エアーを供給するための装置を別途用意する必要がない。したがって、既存の設備に対応させることができる。
【００１７】
本発明に係る姿勢保持具は、給気されるエアーの流路である給気路と、排気されるエアーの流路である排気路と、排気路に備えられてエアーを排気する真空発生器と、真空発生器にエアーを供給する供給路と、給気路を開閉する給気コントローラと、供給路を開閉する供給コントローラと、から構成された給排気制御装置が備えられている。この構成により、供給路が供給コントローラによって閉塞すると共に給気路が給気コントローラによって開放すると、エアーが給気路を流通して姿勢保持具に給気される。一方、給気路が給気コントローラによって閉塞すると共に供給路が供給コントローラによって開放すると、真空発生器では、供給路から流入したエアーによって真空が発生し、排気路を流通して吸引されることで姿勢保持具が排気される。したがって、給排気を制御することができる。
【図面の簡単な説明】
【００１８】
【図１】本発明の実施形態に係る姿勢保持具が示された外観図である。
【図２】本発明の実施形態に係る姿勢保持具に備えられた給排気制御装置の回路の概略が示された概略回路図である。
【図３】本発明の実施形態に係る姿勢保持具の動作が示され、（ａ）が背もたれ部が起立した椅子において給気された状態の形状可変状態図、（ｂ）が背もたれ部が傾倒した椅子において給気された状態の形状可変状態図、（ｃ）が背もたれ部が傾倒した椅子において排気された状態の形状維持状態図である。
【図４】本発明の実施形態の変形例に係る姿勢保持具の動作が示され、（ａ）が背もたれ部が起立した椅子において給気された状態の形状可変状態図、（ｂ）が背もたれ部が起立した椅子において排気された状態の形状維持状態図、（ｃ）が背もたれ部が傾倒した椅子において給気された状態の形状可変状態図である。
【発明を実施するための形態】
【００１９】
以下に、本発明の実施形態に係る姿勢保持具を図面に基づいて説明する。図１は、本発明の実施形態に係る姿勢保持具１０の外観と、この姿勢保持具１０が装着された椅子３が示されている。
【００２０】
図１において、本発明の実施形態に係る姿勢保持具１０は、着座者１（図３参照）が着座する椅子３の背もたれ部４と着座者１の背面２（背中、または、背中と後頭部）との間に配置されるものである。姿勢保持具１０は、背もたれ部４に取り付けられた際に、背もたれ部４と対面する側が背もたれ対面部１１であり、着座者１の背面２と対面する側が背面対面部１２である。姿勢保持具１０は着脱が可能であるため、椅子３に着脱するための着脱部１３が背もたれ対面部１１に備えられている。着脱部１３は、例えば、バンド１４であれば、枕部５や背もたれ部４に巻き付けられて留められ、カバー１５であれば、枕部５の上に被せられる。
【００２１】
姿勢保持具１０は、ビーズのような粒状体を適量、内包しており、給排気による内部圧力のコントロールによって性質が変化する。すなわち、姿勢保持具１０は、給気されることで、密着した粒状体間の密集状態を緩和、ビーズ同士の摩擦を減少させ、柔らかな形状可変状態に変化する。一方、排気されることで姿勢保持具１０は収縮し、粒状体間が、より密集状態となる。そのため、粒状体同士が密着し、ビーズ同士の摩擦が増加するため、形状維持状態に変化する。
【００２２】
形状可変状態では、姿勢保持具１０は一定の形状を有さず、圧力が加えられると形状が変化する。したがって、姿勢保持具１０は、椅子３に着座した着座者１が背もたれ部４に凭れたことによって圧力が加えられると、背面２の形状に沿って変形し、背面対面部１２の全面が背面２と接触する。一方、形状維持状態では、背面対面部１２において背面２の形状が維持される。
【００２３】
ここで、給排気は背もたれ部４の動作と連動し、背もたれ部４が傾倒または起立しながら給気され、傾倒した状態で停止して排気される。すなわち、背もたれ部４が起立した状態から傾倒した状態に変化する最中に、または傾倒した状態から起立した状態に変化する最中に、形状可変状態に変化し、背面対面部１２が着座者１の背面２の形状に沿って変形する。一方、背もたれ部４が傾倒した状態で停止して（停止した後に、または停止すと共に）、形状維持状態に変化し、背面２の形状を維持する。この様な状態の変化を生じさせる給排気の制御は、給排気制御装置１６によって実現される。
【００２４】
ここで、排気制御装置１６について図面に基づいて説明する。図２は、本発明の実施形態に係る姿勢保持具１０の給排気制御装置１６の回路の概略が示されている。
【００２５】
図２に示されているとおり、給排気制御装置１６は、給排気されるエアーを供給するためのエアー供給装置２４と、給気される給気エアー３２の流路である給気路１７と、排気される排気エアー３１の流路である排気路１８と、この排気路１８に備えられ排気エアー３１を排気する真空発生器１９と、この真空発生器１９に供給エアー３０を供給する供給路２３と、給気路１７を開閉する給気コントローラ２０と、供給路２３を開閉する供給コントローラ２１とから構成されている。
【００２６】
エアー供給装置２４は、各エアー３０，３２を供給し、給排気を行うものである。例えば、着座者１の診療に用いられるインスツルメント（図示省略）を制御する歯科治療ユニットなどである。
【００２７】
給気路１７は、例えばエアーチューブなどであり、姿勢保持具１０とエアー供給装置２４とに接続されている。また、給気路１７は、給気コントローラ２０が流路の途中に接続されている。給気コントローラ２０は、例えばバルブなどである。
【００２８】
排気路１８は、例えばエアーチューブなどであり、姿勢保持具１０と真空発生器１９とに接続され、姿勢保持具１０への流入を規制する逆止弁２２が流路の途中に接続されている。なお、排気路１８と給気路１７とは、姿勢保持具１０側において単一のエアーチューブを共有する構成であってもよい。
【００２９】
供給路２３は、例えばエアーチューブなどであり、真空発生器１９とエアー供給装置２４とに接続されている。また、供給路２３は、供給コントローラ２１が流路の途中に接続されている。供給コントローラ２１は、例えばバルブなどである。なお、供給路２３と給気路１７とは、エアー供給装置２４側において単一のエアーチューブを共有する構成であってもよい。
【００３０】
真空発生器１９は、真空ポートに排気路１８が接続され、供給ポートに供給路２３が接続されている。
【００３１】
上記のとおり、姿勢保持具１０が構成されている。次に、姿勢保持具１０の動作を図面に基づいて説明する。図３は、本発明の実施形態に係る姿勢保持具１０の動作の状態が示されている。
【００３２】
図３（ａ）に示されているとおり、椅子３は、枕部５にカバー１５が被せられて姿勢保持具１０が装着されている。着座者１が椅子３に着座した状態では、背もたれ部４が起立し、この背もたれ部４と着座者１の背面２との間に姿勢保持具１０が配置されている。
【００３３】
背もたれ部４が起立した状態において、姿勢保持具１０は形状可変状態である。すなわち、供給コントローラ２１が供給路２３を閉塞すると共に給気コントローラ２０が給気路１７を開放し、エアー供給装置２４から供給された供給エアー３２が給気路１７を流通するため、給気された姿勢保持具１０は形状可変状態である。この状態で、各コントローラ２０，２１が閉塞することで（図２参照）、形状可変状態が維持される。
【００３４】
形状可変状態で、着座者１が椅子３に着座して背もたれ部４に凭れると、圧力が加えられて姿勢保持具１０の背面対面部１２は背面２の形状に沿って変形し、背面対面部１２の全面が背面２に隙間なく接触して背面２に適合した形状に変形する。
【００３５】
図３（ｂ）に示されているとおり、背もたれ部４が傾倒すると、姿勢保持具１０は、形状可変状態を維持しながら背もたれ部４が傾倒し、横たわった着座者１の背面２に適合した形状に背面対面部１２が変化する。
【００３６】
図３（ｃ）に示されているとおり、背もたれ部４が傾倒した状態で停止して排気されて形状維持状態に変化し、横たわった着座者１の背面２に適合した形状が維持される。すなわち、給気コントローラ２０が給気路１７を閉塞すると共に供給コントローラ２１が供給路２３を開放すると、エアー供給装置２４から供給された供給エアー３０が真空発生器１９の供給ポートから流入することで真空が発生し、排気路１８を流通して真空ポートから排気エアー３１が吸引されることで姿勢保持具１０が排気される。姿勢保持具１０は、排気されて収縮し、形状維持状態となり、各コントローラ２０，２１が閉塞することで（図２参照）、形状維持状態が維持される。
【００３７】
再び背もたれ部４が起立すると、姿勢保持具１０は形状可変状態に変化する（図３（ａ）参照）。
【００３８】
上記のとおり、姿勢保持具１０は動作する。ここで、本実施形態の変形例によれば、次のような動作が可能である。図４は、本発明の実施形態の変形例に係る姿勢保持具１０の動作の状態が示されている。
【００３９】
図４（ａ）に示されているとおり、背もたれ部４が起立した状態における形状可変状態で、着座者１が椅子３に着座して背もたれ部４に凭れた後、図４（ｂ）に示されているとおり、姿勢保持具１０が形状維持状態に変化し、着座した着座者１の背面２に適合した形状を維持する。すなわち、給気コントローラ２０が給気路１７を閉塞すると共に供給コントローラ２１が供給路２３を開放すると、エアー供給装置２４から供給された供給エアー３０が真空発生器１９の供給ポートから流入することで真空が発生し、排気路１８を流通して真空ポートから排気エアー３１が吸引されることで姿勢保持具１０が排気される。姿勢保持具１０は、排気されて収縮し、形状維持状態となり、各コントローラ２０，２１が閉塞することで（図２参照）、形状維持状態が維持される。すなわち、着座した着座者１の背面２に適合した形状で背面対面部１２が維持される。
【００４０】
その後、図４（ｃ）に示されているとおり、背もたれ部４が傾倒すると、姿勢保持具１０は、背もたれ部４が傾倒しながら給気されて形状可変状態に変化し、横たわった着座者１の背面２に適合した形状に背面対面部１２が変化する。背もたれ部４が傾倒した状態で停止して排気されて形状維持状態に変化し、各コントローラ２０，２１が閉塞することで（図２参照）、形状維持状態が維持される。すなわち、横たわった着座者１の背面２に適合した形状が維持される。
【００４１】
また、背もたれ部４が再び起立すると、姿勢保持具１０は、背もたれ部４が起立しながら給気されて形状可変状態に変化し、着座した着座者１の背面２に適合した形状に背面対面部１２が変化する（図４（ａ）参照）。
【００４２】
図４（ｂ）に示されているとおり、姿勢保持具１０は、背もたれ部４が起立した状態で停止して排気されて形状維持状態に変化し、着座した着座者１の背面２に適合した形状で背面対面部１２が維持される。この状態で、各コントローラ２０，２１が閉塞することで（図２参照）、形状維持状態が維持される。
【００４３】
次に、本実施形態の効果を説明する。
【００４４】
上記したとおり、本実施形態によれば、姿勢保持具１０は、給気されることで形状可変状態に変化し、一方、排気されることで収縮して形状維持状態に変化する。形状可変状態では、姿勢保持具１０は一定の形状を有さず、圧力が加えられると形状が変化する。したがって、姿姿勢保持具１０は、椅子３に着座した着座者１が背もたれ部４に凭れたことによって圧力が加えられると、着座者１の背面２の形状に沿って変形し、背面対面部１２の全面が背面２に隙間なく接触して背面２に適合した形状に変形する。一方、形状維持状態では、姿勢保持具１０は、背面２に適合した形状を維持する。したがって、様々な着座者１の背面２に合わせて形状を変化させると共にその形状を維持し、着座者１の姿勢を保持することができる。
【００４５】
本実施形態によれば、背もたれ部４が起立した状態から傾倒した状態に変化する最中に、または傾倒した状態から起立した状態に変化する最中に、形状可変状態に変化し、背面対面部１２が着座者１の背面２の形状に沿って、背面対面部１２の全面が背面２に隙間なく接触して背面２に適合した形状に変形する。一方、背もたれ部４が傾倒した状態で停止して、形状維持状態に変化し、横たわった着座者１の背面２に適合した形状を維持する。このことにより、姿勢保持具１０は、着座者１の姿勢が変化する毎に、その姿勢に合わせて変化するため、様々な姿勢に合わせて形状を変化させると共にその形状を維持し、着座者１の姿勢を保持することができる。
【００４６】
本実施形態によれば、椅子３に着脱するためのカバー１５が背もたれ対面部１１に備えられている。したがって、既存の設備に対応させることができ、また、姿勢保持具１０が必要な着座者１に対してのみ椅子３に装着し、姿勢保持具１０が不要な着座者１に対しては椅子３から取り外すことで、着座者１に応じて対応することができる。
【００４７】
本実施形態によれば、給排気するエアーを供給するエアー供給装置２４は、着座者１の診療に用いられるインスツルメントを制御する歯科治療ユニットである。すなわち、既存の設備である歯科治療ユニットによって供給エアー３０または給気エアー３２が提供されるため、各エアー３０，３２を提供するための装置を別途用意する必要がない。したがって、既存の設備に対応させることができる。
【００４８】
本実施形態によれば、給排気制御装置１６は、給排気される各エアー３０，３２を提供するためのエアー供給装置２４と、給気エアー３２の流路である給気路１７と、排気エアー３１の流路である排気路１８と、この排気路１８に備えられて排気エアー３１を排気する真空発生器１９と、この真空発生器１９に供給エアー３０を供給する供給路２３と、給気路１７を開閉する給気コントローラ２０と、供給路２３を開閉する供給コントローラ２１とから構成されている。この構成により、供給路２３が供給コントローラ２１によって閉塞すると共に給気路１７が給気コントローラ２０によって開放すると、給気エアー３２がエアー供給装置２４から給気路１７を流通して姿勢保持具１０が給気される。一方、給気路１７が給気コントローラ２０によって閉塞すると共に供給路２３が供給コントローラ２１によって開放すると、真空発生器１９では、エアー供給装置２４から供給路２３を流通した供給エアー３０によって真空が発生し、排気エアー３１が排気路１８を流通して吸引されることで姿勢保持具１０が排気される。したがって、給排気を制御することができる。
【００４９】
本実施形態によれば、治療部位及び治療姿勢を変更させる際、背もたれ部４が倒れた状態を維持し、上記動作とは別に、手動において各コントローラ２０，２１を制御し、給気及び排気を行い、治療部位及び治療姿勢に適した形状に変形させることが可能である。
【００５０】
本実施形態によれば、施術途中にうがいが必要な場合、うがいを行うために傾倒した背もたれ部４を起き上がらせ、うがい後、再び背もたれ部４を元のポジションへ傾倒させる操作を行う。当該操作を行う場合は、エアーの供給を行わず形状維持状態を維持した操作が可能である。
【００５１】
排気、給気のタイミングは上記した場合以外においても、治療姿勢及び治療の種類に応じて組み合わせは変更が可能である。
【００５２】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００５３】
１                着座者
２                背面
３                椅子
４                背もたれ部
５                枕部
１０              姿勢保持具
１１              背もたれ対面部
１２              背面対面部
１３              着脱部
１４              バンド
１５              カバー
１６              給排気制御装置
１７              給気路
１８              排気路
１９              真空発生器（排気装置）
２０              給気コントローラ
２１              供給コントローラ
２２              逆止弁
２３              供給路
２４              エアー供給装置
３０              供給エアー
３１              排気エアー
３２              給気エアー
【図１】
0006579829.tif 000002
【図２】
0006579829.tif 000003
【図３】
0006579829.tif 000004
【図４】
0006579829.tif 000005